(57)【特許請求の範囲】
【請求項１】
略長方形状の開口部を有する樹脂製の枠体と、枠体の開口部に前方から嵌入される反射傘と、枠体の開口部の長手方向に沿って反射傘に内挿される閃光放電管と、枠体の開口部の前面に配される光学パネルとを備え、閃光放電管から発され、反射傘で集光された光を光学パネルを介して被写体に照射するよう構成されたストロボ装置において、反射傘の長手方向における両端部を後方から囲い且つ切欠部によって途中位置で分断された一対の保持片を枠体の開口部の後方に備え、反射傘及び閃光放電管を、一対の保持片のうちの分断された一方側を跨ぐように配置されると共に両端部が閃光放電管に外挿されている帯状の弾性部材によって前記一方側に引きつけることにより、前記一方側に固定してなるストロボ装置。
【請求項２】
保持片は、弾性部材により引きつけられている反射傘の長手方向と交差する方向における両縁部及び中央部の三点で接触する略コ字状に形成され、かつ、保持片の両角部のうちの一方側近傍に切欠部が形成されてなる請求項１記載のストロボ装置。
【発明の詳細な説明】
【０００１】
【発明の属する技術分野】
本発明は、銀塩フィルムや電荷結合素子（ＣＣＤ）あるいはＣＭＯＳセンサ等の感光剤を備えた、カメラ（撮像装置）を用いて撮影を行う際、人工照明源として有用されている光源として閃光放電管を用いるストロボ装置に関する。
【０００２】
【従来の技術】
昔より知られているアナログカメラや、ＣＣＤやＣＭＯＳセンサを感光剤として用いる周知のデジタルカメラ、あるいはフィルムを内蔵した容器に簡易なレンズユニットを組み込んだ、いわゆる使い捨てカメラには、ストロボ装置が内蔵されているものが多い。
【０００３】
また、パケット通信網の普及に伴い、内蔵のデジタルカメラを用いて撮影画像を配信可能な携帯電話端末が市場に出回るようになったが、これに併せて携帯電話端末に着脱可能なストロボ装置も提供されるようになっている。
【０００４】
これらストロボ装置は、樹脂成形された枠体の開口部に前方からアルミ製の反射傘を嵌め込んだ後、枠体の開口部の後方に突出した反射傘の側方開口部から例えばＸｅガスを封入したガラス製の閃光放電管を反射傘内に内挿し、次に一対のリード線をそれぞれストロボ回路が形成されたプリント基板及び閃光放電管の主電極に半田付けすると共に、トリガーリード線をプリント基板及び反射傘の背面に半田付けした後、光学パネルを枠体の前面に嵌め込むか、あるいはハウジングの開口部に嵌め込んだ状態で、該ハウジング内にプリント基板及び枠体を収容した構成が一般的である。
【０００５】
枠体は、反射傘の縁部に刻設された数個の切欠部にそれぞれ係入する数個の係止片を開口部に備えると共に、開口部の後方に保持片を備えており、帯状のゴムブッシングを保持片を跨がせた状態でその両端を閃光放電管の両端に装着することにより、反射傘及び閃光放電管を固定するようにしている。
【０００６】
保持片としては、従来より種々の構造が提供されており、例えば、開口部の後方から突設されて反射傘の背面の中央領域と接触する断面視略Ｌ字状の帯片状の保持片や、開口部の背面を跨いで反射傘の背面の略全領域を囲う断面視略コ字状の帯片状の保持片が公知となっている。
【０００７】
【発明が解決しようとする課題】
何れの保持部も簡素な構成であり、その点では有用であるが、反射傘の背面を囲う後者の保持片では、例えばストロボ装置が不測に落下等した場合、ハウジングを介して枠体にかかる衝撃が保持片で吸収されることなくそのまま反射傘及び閃光放電管に伝わることにより、時として閃光放電管が破損するおそれがある。
【０００８】
また、反射傘は、通常、トリガー電極としても使用されるため、トリガーリード線が直接的又は間接的に接続されるわけであるが、保持片によって反射傘の背面が覆われることで、トリガーリード線の取付箇所に制約が生じて、半田付けの作業性が悪くなるといった問題もある。
【０００９】
これに対し、一端が自由端となっている前者の保持片では、該保持片を例えば弾性部材にて形成することにより、枠体にかかる衝撃が保持片で一部吸収されて、閃光放電管の破損の問題は生じにくくなるが、トリガーリード線の取付箇所の制約による半田付けの作業性の悪さに加え、後者の保持片に比べて反射傘との接触点が少ないために、反射傘の保持性の悪さが指摘される。
【００１０】
そこで、本発明は、上記の如き従来の問題点に鑑みてなされたもので、耐衝撃性に優れると共に、トリガーリード線の半田付け作業を円滑且つ確実に行うことができ、併せて、反射傘の保持性を高めて枠体に対する反射傘の位置決めを容易に行うことができるストロボ装置を提供することを課題とする。
【００１１】
【課題を解決するための手段】
本発明に係るストロボ装置は、上記課題を解決するためになされたものであり、略長方形状の開口部を有する樹脂製の枠体と、枠体の開口部に前方から嵌入される反射傘と、枠体の開口部の長手方向に沿って反射傘に内挿される閃光放電管と、枠体の開口部の前面に配される光学パネルとを備え、閃光放電管から発され、反射傘で集光された光を光学パネルを介して被写体に照射するよう構成されたストロボ装置において、反射傘の長手方向における両端部を後方から囲い且つ切欠部によって途中位置で分断された一対の保持片を枠体の開口部の後方に備え、反射傘及び閃光放電管を、一対の保持片のうちの分断された一方側を跨ぐように配置されると共に両端部が閃光放電管に外挿されている帯状の弾性部材によって上記一方側に引きつけることにより、上記一方側に固定してなることを特徴とする。
【００１２】
上記構成からなるストロボ装置によれば、反射傘を枠体の開口部に前方から嵌入させて、反射傘の縁部を開口部に略一致させた状態で、一対の保持片で反射傘の長手方向における両端部を後方から保持することにより、反射傘が背面側へ抜けるのを防止している。それぞれ保持片は、反射傘の端部において該反射傘の背面と少なくとも三点以上が接触する（所定領域あるいは全領域で互いが面接触する場合も含める）ため、反射傘の保持性が得られ、枠体に対する反射傘の安定性が向上する。
【００１３】
また、一部が分断（開放）されている保持片であれば、該保持片を例えば弾性部材にて形成することにより、枠体にかかる衝撃が保持片で一部吸収されて、閃光放電管にかかる衝撃に対する緩衝作用が生じる。
【００１４】
さらに、一対の保持片が反射傘の両端部に対応して互いに離間した配置となり、反射傘の背面の中央領域は、露呈した状態となるため、トリガーリード線の半田付けのための作業スペースが確保される。
【００１５】
また、本発明に係るストロボ装置は、請求項２記載の如く、保持片は、弾性部材により引きつけられている反射傘の長手方向と交差する方向における両縁部及び中央部の三点で接触する略コ字状に形成され、かつ、保持片の両角部のうちの一方側近傍に切欠部が形成されてなる構成を採用することができる。
【００１６】
上記構成からなるストロボ装置によれば、略コ字状の保持片が、略Ｌ字状の部分と、略直線状の部分とから構成され、前者の一辺が反射傘の一方の縁部と接触すると共に、他辺が反射傘の中央部と接触し、また、後者の辺が反射傘の他方の縁部と接触する。
【００１７】
この三点接触により、反射傘が閃光放電管の軸回りで不用意に回転変位することは無くなり、枠体に対する反射傘の安定性が確保される。
【００１８】
【発明の実施の形態】
以下、本発明の実施の形態について、図面を参照しながら説明する。
【００１９】
本実施形態に係るストロボ装置１は、樹脂成型品である略箱形のハウジング２に、発光面としての透明樹脂製の光学パネル３及びプラグ４を備え、感光剤としてＣＣＤもしくはＣＭＯＳセンサを用いている周知のデジタルカメラを内蔵した携帯電話端末Ａのイヤホンジャックａに着脱自在に取り付けられて、携帯電話端末Ａから電力供給及び撮像開始信号を受けることにより発光するものである。
【００２０】
かかるストロボ装置は、図２〜４に示す如く、プリント基板（図示しない）と、これに取り付けられる枠体５と、アルミ製の裁断板を適宜折り曲げて形成した反射傘６と、直管状の閃光放電管７と、銅板のシートを反射傘に対応して円弧状に湾曲させたトリガー電極８とを更に備えている。
【００２１】
プリント基板には、閃光放電管７を発光させるための回路パターンが印刷されている。そして、回路構成要素として、プラグ４用、閃光放電管７用、トリガー電極８用の各種リード線や、シンクロスイッチ、主コンデンサ、トリガー用コンデンサ、トランス等がプリント基板に半田付けされ、ストロボ回路が構成されている。
【００２２】
保持枠体５は、略長方形状の光学パネル３に対応して、略長方形状且つ平板状に形成された基部５ａと、反射傘６の正面開放部（投光通過部）に対応して、基部５ａの中央部に略長方形状に形成された開口部５ｂと、基部５ａの三辺から前方に突設された周壁部５ｃと、基部５ａの両側縁から後方に突設された一対の脚部５ｄ，５ｄと、開口部５ｂの両端近傍位置を通るようにして基部５ａから上方及び後方に亘って突設された一対の保持片５ｆ，５ｆと、開口部５ｂの上下二箇所位置に突設された係止片５ｅ，５ｅとを一体的に成型した樹脂成型品である。
【００２３】
開口部５ｂは、基部５ａの前面側に環状のリブが突設されているが、該リブは、下方側（長手方向と交差する方向における一方側）ほど低く（上方側（他方側）ほど高い）なっており、従って、リブの端面は、ハウジング２の面に対して傾斜した格好となっている。
【００２４】
周壁部５ｃは、その内形状が光学パネル３の外形状と略一致しており、且つその高さが光学パネル３の厚みと略一致しており、光学パネル３は、周壁部５ｃ内に嵌入することで、枠体５に着脱自在に取り付けられるようになっている。
【００２５】
これに応じて、光学パネル３の背面であって、枠体５の開口部５ｂと対向する位置には、光の拡散作用を有する波形の拡散面３ａが形成される一方、光学パネル３の前面であって、枠体５の開口部５ｂと対向する位置には、光の集光作用を有するフレネルレンズからなる集光面３ｂが形成されている。
【００２６】
光学パネル３をハウジング２の開口部２ａに装着した状態では、拡散面３ａは、枠体２の開口部５ｂのリブの端面の傾斜角に応じて、ハウジング２の面に対して傾斜する一方、集光面３ｂは、ハウジング２の面と平行になっている。
【００２７】
反射傘６は、一枚の薄い光輝性のアルミ板を所定形状に裁断して、略Ｕ字状に折り曲げ、さらにその端部を内側に折り曲げて作製されたもので、Ｕ字状の凹面部及び一対の側面部６ｂ，６ｂで構成され、その内面がストロボ光を反射する反射面になる。
【００２８】
一対の側面部６ｂ，６ｂには、閃光放電管７の外径よりもやや大きな開口部６ｃ，６ｃが形成されており、一方の開口部６ｃから閃光放電管７を挿入して、他方の開口部６ｃから閃光放電管７の端部を露呈させるようにしている。
【００２９】
反射傘６の上下二箇所位置には、方形状の切欠部６ａが形成されている。
【００３０】
この切欠部６ａは、枠体５の係止片５ｅに対応して設けられたもので、反射傘６を枠体５の開口部５ｂに嵌め込んだ状態で、各切欠部６ａ内に係止片５ｅが入り込み、両者が爪結合することにより、反射傘６が弾性的に接触した状態で枠体５の開口部５ｂに固定される。
【００３１】
この際、反射傘６の四箇所の縁部は、開口部５ｂのリブの端面と略面一に設定され、その結果、反射傘６は、リブの端面の傾斜角（光学パネル３の拡散面３ａの傾斜角）に応じて、ハウジング２の面と直交する仮想線Ｌ１に対して傾斜した状態となる。
【００３２】
即ち、枠体５の開口部５ｂの端面、光学パネル３の拡散面３ａ、及び反射傘６の開放面が略一致した状態となって、光学パネル３を介して閃光放電管７の光は、斜め方向に照射されるようになっている。
【００３３】
従って、この光軸のずれに対応して、集光面３ｂの中心（フレネルレンズの円中心）は、中心線Ｌ１から偏移した位置に設定されている。
【００３４】
閃光放電管７は、直管状のガラスバルブのそれぞれ端部に、金属棒からなる主電極７ａ，７ａが封着され、主電極７ａの一部が軸方向に沿って外部に突出した構成からなる。該閃光放電管７は、一方の主電極７ａが主コンデンサに接続されたリード線１１に接続され、また、他方の主電極７ａが例えば直接アースに接続されたリード線１１に接続されている。
【００３５】
枠体５の保持片５ｆ，５ｆは、反射傘６の長手方向における両端部を後方から囲うことにより、反射傘が後方へ抜けるのを防止するためのもので、それぞれ保持片５ｆは、反射傘６の凹面部の両縁部及び中央部の三点で接触する略コ字状に形成され、しかも、保持片５ｆの両角部のうちの一方側近傍には、切欠部５ｇが形成されている。
【００３６】
切欠部５ｇによって、保持片５ｆは、反射傘６の凹面部の一縁部から中央部にかけて囲う略Ｌ字状の部分と、反射傘６の凹面部の他縁部近傍を囲う略直線状の部分とに分断される。
【００３７】
略Ｌ字状の部分は、反射傘６の凹面部の一縁部及び中央部の二点で接触する（あるいは近接する）一方、略直線状の部分は、反射傘６の凹面部の他縁部の一点で接触する（あるいは近接する）。
【００３８】
また、枠体５に対する反射傘６及び閃光放電管７の保持を行うことと、トリガー電極８が有効に作用し得るように閃光放電管７を反射傘６に引き込むことを目的として、帯状の弾性部材であるゴムブッシング９が用いられている。
【００３９】
該ゴムブッシング９（両端図示省略）は、両端部がそれぞれ閃光放電管７のガラスバルブに外挿可能な孔が形成されており、一対の保持片５ｆ，５ｆの略Ｌ字状部分を跨ぐようにして配置したゴムブッシング９のそれぞれ端部を、反射傘６の側方開口部６ｃ，６ｃから露出した閃光放電管７のガラスバルブ端部に外挿することにより、該ゴムブッシング９の引張力を利用して閃光放電管７を反射傘６に引きつけつつ、両者を一対の保持片５ｆ，５ｆの略Ｌ字状部分に固定するものである。
【００４０】
一対の保持片５ｆ，５ｆ間に介在するトリガー電極８には、トリガーリード線１０が半田付けされている。これにより、プリント基板上の主コンデンサが携帯電話端末Ａからの電力供給により充電された状態でトリガー電極８にトリガー電圧が供給されると、周知のようにこのトリガー電圧が反射傘６を介して閃光放電管７に印加されることになり、よって閃光放電管７は励起され、主コンデンサの充電エネルギーを消費して発光する。
【００４１】
この時、ストロボ装置１の光軸Ｌ２は、ストロボ装置１のハウジング２の面と直交する仮想線Ｌ１（デジタルカメラの光軸と略平行）に対して傾斜しており、且つその傾斜方向がデジタルカメラの光軸に接近する方向である。
【００４２】
従って、ストロボ装置１の発光は、デジタルカメラの手前の比較的近い領域に照射されるため、一般のカメラよりも焦点距離の短い被写体（例えば携帯電話端末Ａの所有者）を撮像するストロボ装置として好適である。
【００４３】
尚、本発明に係るストロボ装置は上記実施形態に限定されるものではなく、本発明の要旨を逸脱しない範囲にて種々の変更が可能である。
【００４４】
例えば、反射傘の保持性、耐衝撃性、及びトリガー電極の半田付け作業容易性の観点から、枠体５の形状、特に保持片５ｆの形状（切欠部５ｇの位置も含める）は、任意に変更可能である。
【００４５】
また、トリガー電極８は必須構成ではなく、反射傘６にトリガーリード線１０を接続可能であれば、トリガー電極８を無くしてもよい。
【００４６】
さらに、光学パネル３を枠体５に装着させる必要はなく、要は、ハウジング２に装着させる等して、反射傘６の開放面前面に光学パネル３が配置されるようにすればよい。
【００４７】
また、反射傘６を枠体５に対して傾斜させた状態で取り付けることは必須ではなく、一般のカメラに使用される場合、より遠い領域にストロボ装置１の発光を照射する必要があるため、ストロボ装置１の光軸Ｌ２の傾斜角を小さくするか、あるいはカメラの光軸と略平行に設定してもよい。
【００４８】
さらに、ストロボ装置をカメラ等に内蔵させる場合、該カメラ等の筐体がハウジングとなる。
【００４９】
【発明の効果】
以上の如く、本発明に係るストロボ装置は、保持片と反射傘との接触点が少なくとも三点以上であるため、反射傘の保持性が高められ、枠体に対する反射傘の位置決めを簡単に行うことができる。
【００５０】
また、保持片の一部が分断されて、該保持片の変位が許容されるため、外的衝撃あるいは閃光放電管の発光に伴う振動が保持片によって緩衝されることにより、閃光放電管にかかるストレスが吸収され、閃光放電管の破損を好適に防止することができる。
【００５１】
さらに、一対の保持片を反射傘の両端部に配することで、その間に空間部が形成されるため、トリガーリード線を反射傘の背面の中央領域、あるいはこの領域に貼着されたシート状のトリガー電極に半田付けする際の作業性が向上し、該作業を円滑且つ確実に行うことができる。
【図面の簡単な説明】
【図１】本発明の一実施形態に係るストロボ装置を携帯電話端末に装着する状態の斜視図
【図２】同実施形態のストロボ装置の要部構成の分解斜視図
【図３】同実施形態のストロボ装置の要部構成の組立斜視図
【図４】同実施形態のストロボ装置の要部構成の断面側面図
【符号の説明】
１  ストロボ装置
２  ハウジング
３  光学パネル
３ａ  拡散面
３ｂ  集光面
５  枠体
５ｂ  開口部
５ｆ  保持片
５ｇ  切欠部
６  反射傘
７  閃光放電管
７ａ  主電極
８  トリガー電極
９  ゴムブッシング
【図１】
0004660030.tif 000002
【図２】
0004660030.tif 000003
【図３】
0004660030.tif 000004
【図４】
0004660030.tif 000005